(57)【要約】【課題】早期に原因部品を特定して、原因調査の時間短縮を図る。【解決手段】不具合部品検索装置１は、生産装置の三次元形状データが格納された三次元形状データベース４と、過去に発生した不具合の履歴および不具合の現象を部品毎に記述した保守データを格納する保守データベース５と、不具合の対応方法を部品毎に記述した対応データを格納するトラブル対応データベース６を備える。ユーザ端末２の入力部９から不具合の現象が検索キーワードとして入力されると、検索部７が適合する保守データおよび対応データを保守データベース５およびトラブル対応データベース６から抽出して表示部１０に表示する。また、画像生成部８が抽出データに対応した部品をハイライト表示した生産装置の三次元画像を作成し、表示部１０に表示する。【選択図】図１
2009217600.tif 000002
【特許請求の範囲】
【請求項１】
不具合の発生した設備を構成する部品毎に、過去に発生した不具合の履歴および不具合の現象を記述した保守データと、前記部品毎に前記不具合の現象に対する対応方法を記述した対応データとを用いて、不具合の現象が検索キーワードとして入力されると当該検索キーワードに適合する保守データおよび対応データを抽出する検索部と、
前記不具合の発生した設備を構成する各部品の三次元形状データを用いて、前記検索部が抽出した前記保守データおよび前記対応データに対応した、前記不具合の現象を引き起こした原因として抽出された部品を視覚的に強調表示した前記設備の三次元画像を作成する画像生成部とを備えた不具合部品検索装置。
【請求項２】
請求項１記載の不具合部品検索装置と、
設備に発生した不具合の現象を検索キーワードとして受け付ける入力部と、
前記不具合部品検索装置の検索部が抽出した保守データおよび対応データ、ならびに画像生成部が作成した三次元画像を表示する表示部とを備えた不具合部品検索システム。
【発明の詳細な説明】
【技術分野】
【０００１】
この発明は、生産装置の不具合部品を検索し表示させる検索システムに関するものである。
【背景技術】
【０００２】
工場のライン設備等の生産装置は、並列処理化による高タクト化が進んでいる。それに伴い、生産装置のトラブル内容も複雑化している。
【０００３】
迅速にトラブルに対処するために、三次元ＣＡＤ（Ｃｏｍｐｕｔｅｒ  Ａｉｄｅｄ  Ｄｅｓｉｇｎ）データにトラブル対応情報、保全情報等をリンクさせて、対処方法を検索する検索システムが構築されている（例えば、特許文献１および特許文献２）。ユーザは、トラブル発生の原因となった部品を特定し、検索システムでその部品の三次元ＣＡＤデータを検索することで、リンクされたトラブル対応履歴データ等の対処方法を得る。故障または破損した部品が特定できれば、過去の保全情報等を検索して直ちに対応することが可能となり、トラブル対応業務およびメンテナンス業務の効率化を図ることができる。
【０００４】
【特許文献１】特開２００５−２３４９４２号公報
【特許文献２】特開２００７−１０２５６１号公報
【発明の開示】
【発明が解決しようとする課題】
【０００５】
従来の検索システムは以上のように構成されているので、検索システムを利用する前に故障または破損した部品を特定する必要があり、不具合箇所を調査して原因部品を特定するための時間がかかるという課題があった。
【０００６】
この発明は、上記のような課題を解決するためになされたもので、トラブルの現象を検索キーワードに用いてトラブル対処情報および保守情報データベースを検索し、その現象が過去に発生したことのある部品を視覚的に強調した三次元画像を表示することによって、迅速に原因部品が特定でき、原因調査の時間短縮を図ることを目的とする。
【課題を解決するための手段】
【０００７】
この発明に係る不具合部品検索装置は、不具合の発生した設備を構成する部品毎に、過去に発生した不具合の履歴および不具合の現象を記述した保守データと、部品毎に不具合の現象に対する対応方法を記述した対応データとを用いて、不具合の現象が検索キーワードとして入力されると検索キーワードに適合する保守データおよび対応データを抽出する検索部と、不具合の発生した設備を構成する各部品の三次元形状データを用いて、検索部が抽出した保守データおよび対応データに対応した、不具合の現象を引き起こした原因として抽出された部品を視覚的に強調表示した設備の三次元画像を作成する画像生成部とを備えるようにしたものである。
【発明の効果】
【０００８】
この発明によれば、不具合の発生した設備を構成する部品毎に、過去に発生した不具合の履歴および不具合の現象を記述した保守データと、部品毎に不具合の現象に対する対応方法を記述した対応データとを用いて、不具合の現象が検索キーワードとして入力されると検索キーワードに適合する保守データおよび対応データを抽出し、不具合の発生した設備を構成する各部品の三次元形状データを用いて、検索部が抽出した保守データおよび対応データに対応した、不具合の現象を引き起こした原因として抽出された部品を視覚的に強調表示した設備の三次元画像を作成するようにしたので、原因調査の時間短縮を図ることができる。
【発明を実施するための最良の形態】
【０００９】
実施の形態１．
図１は、この発明の実施の形態１に係る不具合部品検索システムの全体構成を示すブロック図である。図１に示す不具合部品検索システムは、不具合部品検索装置１、ユーザ端末２、それらを接続するインターネット通信網３から構成される。不具合部品検索装置１は、生産装置を構成する各部品の三次元形状データを格納する三次元形状データベース４、過去に起きたトラブルの現象を記述した保守データを格納する保守データベース５、トラブル対処方法を記述したトラブル対応データを格納するトラブル対応データベース６、ユーザが入力したトラブルの現象を表す検索キーワードに適合するデータを検索し、検索結果リストを生成する検索部７、トラブルの原因となった部品をハイライト表示した生産装置の三次元画像を生成する画像生成部８を備える。ユーザ端末２は、ユーザによる検索キーワードを受け付ける入力部９、不具合部品検索装置１が出力した検索結果を表示する表示部１０を備える。
【００１０】
図２は、この発明の実施の形態１に係る不具合部品検索システムが適用される生産装置を示す説明図である。図２に示す生産装置は、第１の設備装置１２、第２の設備装置１３、およびベルトコンベア１４を備える。ベルトコンベア１４が原材料１５を第１の設備装置１２へ運び、第１の設備装置１２が原材料１５を加工製品１６に加工する。さらにベルトコンベア１４が加工製品１６を第２の設備装置１３へ運び、第２の設備装置１２が加工製品１６を完成製品１７に加工する。第１の設備装置１２、第２の設備装置１３およびベルトコンベア１４が三次元形状データで設計されている。
【００１１】
図１に示す不具合部品検索装置１において、三次元形状データベース４は、図２に示す生産装置を構成する部品毎の三次元形状データを格納している。保守データベース５は、図２に示す生産装置を構成する部品毎に、過去に発生した破損または故障のトラブル履歴と、そのトラブルの現象とを記述した保守データを格納している。トラブル対応データベース６は、図２に示す生産装置を構成する部品毎に、過去のトラブル対応方法を記述したトラブル対応データを格納している。
【００１２】
三次元形状データベース４が格納する三次元形状データ、保守データベース５が格納する保守データ、およびトラブル対応データベース６が格納するトラブル対応データは、それぞれ部品名と関連付けられて相互にリンクしている。
【００１３】
検索部７は、インターネット通信網３を介してユーザ端末２から入力した検索キーワードに適合するデータを、保守データベース５およびトラブル対応データベース６から検索し、検索結果リストを生成する。この検索結果リストは、検索の結果適合した保守データおよびトラブル対応データにリンクした部品名を一覧表示させたものとする。また、検索結果リストのうちの１つの部品名がユーザによって指定されると、検索部７はその部品にリンクした保守データおよびトラブル対応データをインターネット通信網３を介してユーザ端末２へ出力する。
【００１４】
画像生成部８は、三次元形状データベース４に格納された三次元形状データを用いて、ユーザ端末２の表示部１０に表示させるための、生産装置の三次元画像を生成する。そのとき、画像生成部８は、検索部７から入力された部品名にリンクした部品（またはアセンブリ）をハイライト表示させて、検索の結果トラブルの原因として抽出された部品を視覚的に強調した生産装置の三次元画像をユーザに提供するようにする。なお、視覚的に強調する方法はハイライト表示以外であってもよい。
【００１５】
なお、三次元形状データは、例えばＡｕｔｏｄｅｓｋ社のＩｎｖｅｎｔｏｒ（登録商標）で作成する。生産装置の生データをユーザに公開しない場合には、画像生成部８が三次元画像を３Ｄビューワ用データであるＤＷＦ（登録商標）に変換して、ユーザ端末２へ出力する。
【００１６】
ユーザ端末２の入力部９は、ユーザが入力する検索キーワードを受け付ける。検索キーワードには、生産装置で発生しているトラブルの現象を表す検索文を用いる。トラブルの原因となる部品が判明している場合には、部品名を検索キーワードに用いても検索できる。入力部９は入力された検索キーワードを、インターネット通信網３を介して不具合部品検索装置１へ出力する。また、入力部９は表示部１０に表示された検索結果リストのうちからユーザが選択した１項目の入力を受け付けて、不具合部品検索装置１へ出力する。
【００１７】
表示部１０は、不具合部品検索装置１が出力する検索結果リスト、保守データ、トラブル対応情報、および原因部品がハイライトされた三次元画像を表示する。図３は、この発明の実施の形態１に係る不具合部品検索システムの表示部に表示される画面の例を示す説明図である。表示部１０は、検索部７が出力した検索結果リスト１８を表示し、さらに検索結果リスト１８の中からユーザが指定した部品に関する保守データおよびトラブル対応データが記述された保守・トラブル対応情報１９、ならびに原因部分がハイライト表示された三次元画像２０を表示する。
【００１８】
次に、不具合部品検索システムの動作を説明する。図４は、この発明の実施の形態１に係る不具合部品検索システムの動作を示すフローチャートである。図２に示す生産装置で不具合が発生すると、ユーザはユーザ端末２の入力部９を操作して、トラブルの現象等を検索キーワードとして入力する。不具合部品検索装置１の検索部７が検索キーワードを受け付けて、その現象が過去にどの部品で発生していたかを調べるために、保守データベース５およびトラブル対応データベース６から検索キーワードに適合するデータを検索する（ステップＳＴ１）。
【００１９】
そして、検索部７は適合した保守データおよびトラブル対応データにリンクした部品名を検索結果リストにしてユーザ端末２へ出力し、ユーザ端末２の表示部１０が図３の検索結果リスト１８を表示する（ステップＳＴ２）。
【００２０】
ユーザは入力部９を操作して、表示部１０の検索結果リストのうちの１つの部品名を選択する（ステップＳＴ３）。ユーザに選択された部品名は入力部９から検索部７および画像生成部８へ入力される。
【００２１】
検索部７はユーザが選択した部品名にリンクした保守データおよびトラブル対応データをユーザ端末２へ出力し、表示部１０が図２の保守・トラブル対応情報１９を表示する。また、画像生成部８はユーザが選択した部品名にリンクした三次元形状データをハイライト表示した三次元画像を生成してユーザ端末２へ出力し、表示部１０が図３の三次元画像２０を表示する（ステップＳＴ４）。
【００２２】
ユーザは表示部１０に表示された不具合部品がハイライト表示された三次元画像２０と、その不具合部品に関するトラブルの履歴および現象ならびに対処方法が記述された保守・トラブル対応情報１９とを参照して、トラブルの原因調査および対応を行う。問題が解決されれば不具合部品検索システムは一連の処理を終了する（ステップＳＴ５“Ｙｅｓ”）。問題が解決されない場合には（ステップＳＴ５“Ｎｏ”）、ユーザは検索結果リストから他の部品名を選択する（ステップＳＴ３）。この不具合部品検索システムを利用することにより、ユーザはトラブルの現象から迅速に原因部品を特定することが可能となる。さらに、ユーザは原因部品の特定と同時に対処方法を得ることも可能となる。
【００２３】
上述した不具合部品検索システムは、例えば、不具合部品検索装置１を生産装置製造メーカが作成し、ユーザはパーソナルコンピュータで構成されるユーザ端末２を用いて不具合部品検索装置１にインターネット通信網３を介してアクセスする。
【００２４】
以上のように、実施の形態１によれば、不具合部品検索装置１は、不具合の発生した生産装置を構成する各部品の三次元形状データが格納された三次元形状データベース４と、過去に発生した不具合の履歴および不具合の現象を記述した保守データを部品毎に格納する保守データベース５と、不具合の対応方法を記述した対応データを部品毎に格納するトラブル対応データベース６と、不具合の現象が検索キーワードとして入力されると、検索キーワードに適合する保守データおよび対応データをそれぞれ保守データベース５およびトラブル対応データベース６から抽出する検索部７と、三次元形状データベース４に格納された三次元形状データを用いて、検索部７が抽出した保守データおよび対応データに対応した、不具合の現象を引き起こした原因として抽出された部品を視覚的に強調表示した生産装置の三次元画像を作成する画像生成部８を備えるように構成した。そのため、迅速に不具合部品が特定でき、不具合の原因調査にかかる時間の短縮が可能となる。
【００２５】
また、実施の形態１によれば、不具合部品検索システムは、不具合部品検索装置１に加え、生産装置に発生した不具合の現象を検索キーワードとして受け付ける入力部９と、不具合部品検索装置１の検索部７が抽出した保守データおよび対応データ、ならびに画像生成部８が作成した三次元画像を表示する表示部１０とを有するユーザ端末２を備えるように構成した。そのため、不具合部品の特定と同時にその対処方法を提供することができ、不具合の対応にかかる時間の短縮が可能となる。
【００２６】
なお、上述した実施の形態１では、不具合部品検索装置１が検索部７および画像生成部８を備える構成であったが、ユーザ端末２が検索部７および画像生成部８を備える構成であってもよい。または、インターネット通信網３を用いず、不具合部品検索装置１がユーザ端末２の各部を備える構成であってもよい。
【図面の簡単な説明】
【００２７】
【図１】この発明の実施の形態１に係る不具合部品検索システムの全体構成を示すブロック図である。
【図２】この発明の実施の形態１に係る不具合部品検索システムが適用される生産装置を示す説明図である。
【図３】この発明の実施の形態１に係る不具合部品検索システムの表示部に表示される画面の例を示す説明図である。
【図４】この発明の実施の形態１に係る不具合部品検索システムの動作を示すフローチャートである。
【符号の説明】
【００２８】
１  不具合部品検索装置、２  ユーザ端末、３  インターネット通信網、４  三次元形状データベース、５  保守データベース、６  トラブル対応データベース、７  検索部、８  画像生成部、９  入力部、１０  表示部、１２  第１の設備装置、１３  第２の設備装置、１４  ベルトコンベア、１５  原材料、１６  加工製品、１７  完成製品、１８  検索結果リスト、１９  保守・トラブル対応情報、２０  三次元画像。
【図１】
2009217600.tif 000003
【図２】
2009217600.tif 000004
【図３】
2009217600.tif 000005
【図４】
2009217600.tif 000006